(57)【特許請求の範囲】
【請求項１】
電子機器が備える複数の機器コネクタに一括で複数のケーブルコネクタを嵌合接続するための一括嵌合アダプタにおいて、
板状のパネルに設けられた複数の中継コネクタと、
前記複数の中継コネクタを前記複数の機器コネクタに嵌合接続した際に、コネクタ同士の接続状態を維持固定するためのロック機構と、
前記ロック機構、前記中継コネクタ、及び、前記中継コネクタと前記パネル間の少なくとも１つに設けられ、コネクタの嵌合方向に弾性力を生じさせる少なくとも１つの弾性体と
を備え、
前記複数の中継コネクタのそれぞれは、前記パネルを貫通し、フローティング状態で取り付けられ、
前記複数の中継コネクタのぞれぞれは、一端にケーブルコネクタ接続用のケーブルコネクタ側接続部と、他端に前記電子機器接続用の機器コネクタ側接続部とを含み、
前記ロック機構の維持固定にて、前記複数の機器コネクタと前記複数の中継コネクタの機器コネクタ側接続部の外部導体同士が押し付け合う方向に弾性力が生じること
を特徴とする一括嵌合アダプタ。
【請求項２】
前記ロック機構は引掛けリングとレバーからなる引込ロックであり、当該引込ロックは、コネクタの嵌合方向に弾性力を生じさせるように、前記弾性体としてコイルばねを備え、前記引掛けリングを電子機器に備えられた係止部に掛けて、前記レバーを倒すことで、前記コイルばねにより、前記複数の機器コネクタと前記複数の中継コネクタの機器コネクタ側接続部との嵌合方向の弾性力を生じさせるように構成されたこと
を特徴とする請求項１に記載の一括嵌合アダプタ。
【請求項３】
前記ロック機構は、前記電子機器に備えられた引込ロックを係止するための係止部であり、
前記係止部は、前記引込ロックの引掛けリングが掛かり、前記引込ロックのレバーが倒されることで、前記引込ロックに備えられたコイルばねにより、前記複数の機器コネクタと前記複数の中継コネクタの機器コネクタ側接続部との嵌合方向の弾性力を生じさせるように構成されたこと
を特徴とする請求項１に記載の一括嵌合アダプタ。
【請求項４】
前記弾性体は、前記中継コネクタと前記パネル間に設けられること
を特徴とする請求項１に記載の一括嵌合アダプタ。
【請求項５】
前記パネルは、前記一括嵌合アダプタを上下左右逆に接続することを防止する形状を有する逆付け防止部を１つ以上設けたこと
を特徴とする請求項１から４のいずれか１項に記載の一括嵌合アダプタ。
【請求項６】
前記電子機器は、複数の機器コネクタを備えた面と同一面に、電子機器内部の熱を放出する放熱部を備え、
前記パネルは、前記放熱部から発せられる熱又は熱風を遮断するように、前記放熱部と対向する位置に板状の熱ガードを設けたこと
を特徴とする請求項１から５のいずれか１項に記載の一括嵌合アダプタ。
【請求項７】
前記電子機器は周波数エクステンダであること
を特徴とする請求項１から６のいずれかの１項に記載の一括嵌合アダプタ。
【発明の詳細な説明】
【技術分野】
【０００１】
本発明は、電子機器等の高周波特性を低周波から高周波までの広い周波数範囲で測定する際に、ベクトルネットワークアナライザ（ＶＮＡ）等の測定器に接続されて用いられる周波数エクステンダ（以下、「ＶＮＡエクステンダ」とも呼ぶ。）といった電子機器に備えられた複数のコネクタに、複数のケーブルコネクタを一括で嵌合する一括嵌合アダプタに関する。
【背景技術】
【０００２】
ＶＮＡは、電子機器等を測定対象物とし、当該測定対象物における電子部品や回路等の高周波特性（又は周波数特性）を測定するための測定器である。従来、ＶＮＡの規定された周波数の範囲内で信号の周波数を調節して、当該信号を測定対象物に対して出力することで、測定対象物の高周波特性を測定することができる。
【０００３】
また、ＶＮＡの調節可能な周波数の範囲を超えて、高い周波数の信号（高周波信号）を発生させるために、ＶＮＡエクステンダが利用される。ＶＮＡエクステンダは、ＶＮＡに複数のケーブルを介して接続され、ＶＮＡの出力信号の周波数をより高い周波数に増幅させて、高周波信号を測定対象物に対して出力することで、測定対象物の高周波特性を測定することができる。
【０００４】
別の周波数を有する高周波信号を発生させるためには、ＶＮＡに接続されているＶＮＡエクステンダを、別のＶＮＡエクステンダにつなぎ替えて交換する必要がある。例えば、非特許文献１に示されるように、ＶＮＡエクステンダ（周波数エクステンダ）には様々な種類が存在し、複数種類のＶＮＡエクステンダをＶＮＡつなぎ替えることにより、複数の高周波信号を使用して、広範囲の高周波特性を測定することができる。
【先行技術文献】
【非特許文献】
【０００５】
【非特許文献１】「Agilent ミリ波ネットワーク・アナライザ  10 MHz 〜 110 GHz、1.1 THzまで拡張可能、Technical Overview」、アジレント・テクノロジー株式会社、２０１３年１１月１９日、［平成２６年  ６月１２日検索］、インターネット（URL:http://cp.literature.agilent.com/litweb/pdf/5989-7620JAJP.pdf）
【発明の概要】
【発明が解決しようとする課題】
【０００６】
しかしながら、ＶＮＡエクステンダのような電子機器のつなぎ替えには、複数のケーブルのつなぎ替えが伴うため、その都度、複数のケーブル側の同軸コネクタとＶＮＡエクステンダ側（電子機器側）の同軸コネクタのネジ締結を行なればならず、ＶＮＡエクステンダのつなぎ替え作業の手間が非常にかかる。
【０００７】
また、複数のケーブルをつなぎ替えたことにより、測定対象物の高周波特性を測定する前に、ケーブル接続自体に対して、高周波特性の安定性を確認する作業が、その都度発生することにもなる。ケーブル接続自体に安定的な特性を得るために、ＶＮＡエクステンダ側の同軸コネクタの外部導体とケーブル側の同軸コネクタの外部導体を確実に接触（以下、「トップタッチ」と呼ぶ。）するように、ケーブルを接続しなければならない。
【０００８】
さらに、ＶＮＡエクステンダと複数のケーブルとのつなぎ替え作業の際に、ケーブル側の同軸コネクタを、誤ってＶＮＡエクステンダ側の正しくない同軸コネクタに接続してしまう危険性や、そのような誤接続によってＶＮＡエクステンダ自体を破壊する危険性が生じ得る。
【０００９】
このような課題を解決するために、ＶＮＡエクステンダのような複数のコネクタを備え、つなぎ替えの作業を必要とする電子機器において、複数のケーブルを個々につなぎ替える必要がなく、一括で複数のコネクタ同士が確実にトップタッチするように構成された一括接続アダプタを提供する。
【課題を解決するための手段】
【００１０】
本発明に係る一括嵌合アダプタの１つの実施形態として、電子機器が備える複数の機器コネクタに一括で複数のケーブルコネクタを嵌合接続するための一括嵌合アダプタは、
板状のパネルに設けられた複数の中継コネクタと、
前記複数の中継コネクタを前記複数の機器コネクタに嵌合接続した際に、コネクタ同士の接続状態を維持固定するためのロック機構と、
前記ロック機構、前記中継コネクタ、及び、前記中継コネクタと前記パネル間の少なくとも１つに設けられ、コネクタの嵌合方向に弾性力を生じさせる少なくとも１つの弾性体と
を備え、
前記複数の中継コネクタのそれぞれは、前記パネルを貫通し、フローティング状態で取り付けられ、
前記複数の中継コネクタのぞれぞれは、一端にケーブルコネクタ接続用のケーブルコネクタ側接続部と、他端に前記電子機器接続用の機器コネクタ側接続部とを含み、
前記ロック機構の維持固定にて、前記複数の機器コネクタと前記複数の中継コネクタの機器コネクタ側接続部の外部導体同士が押し付け合う方向に弾性力が生じることを特徴とする。
【００１１】
本発明に係る一括嵌合アダプタの好ましい実施形態として、前記ロック機構は引掛けリングとレバーからなる引込ロックであり、当該引込ロックは、コネクタの嵌合方向に弾性力を生じさせるように、前記弾性体としてコイルばねを備え、前記引掛けリングを電子機器に備えられた係止部に掛けて、前記レバーを倒すことで、前記コイルばねにより、前記複数の機器コネクタと前記複数の中継コネクタの機器コネクタ側接続部との嵌合方向の弾性力を生じさせるように構成されたことを特徴とする。
【００１２】
本発明に係る一括嵌合アダプタの好ましい実施形態として、前記ロック機構は、前記電子機器に備えられた引込ロックを係止するための係止部であり、
前記係止部は、前記引込ロックの引掛けリングが掛かり、前記引込ロックのレバーが倒されることで、前記引込ロックに備えられたコイルばねにより、前記複数の機器コネクタと前記複数の中継コネクタの機器コネクタ側接続部との嵌合方向の弾性力を生じさせるように構成されたことを特徴とする。
【００１３】
本発明に係る一括嵌合アダプタの好ましい実施形態として、前記弾性体は、前記中継コネクタと前記パネル間に設けられることを特徴とする。
【００１４】
本発明に係る一括嵌合アダプタの好ましい実施形態として、前記パネルは、前記一括嵌合アダプタを上下左右逆に接続することを防止する形状を有する逆付け防止部を１つ以上設けたことを特徴とする。
【００１５】
本発明に係る一括嵌合アダプタの好ましい実施形態として、前記電子機器は、複数の機器コネクタを備えた面と同一面に、電子機器内部の熱を放出する放熱部を備え、
前記パネルは、前記放熱部から発せられる熱又は熱風を遮断するように、前記放熱部と対向する位置に板状の熱ガードを設けたことを特徴とする。
【００１６】
本発明に係る一括嵌合アダプタの好ましい実施形態として、前記電子機器は周波数エクステンダであることを特徴とする。
【発明の効果】
【００１７】
本発明に係る一括嵌合アダプタは、板状のパネルに設けられた複数の中継コネクタ一端のケーブルコネクタ側接続部に、それぞれケーブルの同軸コネクタを接続した状態で、複数の中継コネクタ他端の機器コネクタ側接続部を、周波数エクステンダの複数の機器コネクタに一括で嵌合接続することによって、電子機器の交換に伴うケーブルのつなぎ替えの作業量を軽減することができる。また、複数のケーブルの同軸コネクタを予め一括嵌合アダプタの複数の中継コネクタにそれぞれ接続してあるので、ケーブルのつなぎ替えの際に、個々のケーブルの同軸コネクタを誤って別のコネクタに接続する危険性をなくすことができる。
【００１８】
さらに、本発明に係る一括嵌合アダプタは、前記ロック機構、前記中継コネクタ、及び、前記中継コネクタと前記パネル間の少なくとも１つに設けられ、コネクタの嵌合方向に弾性力を生じさせる少なくとも１つの弾性体により、複数の機器コネクタと複数の中継コネクタの機器コネクタ側接続部とが押し付け合うように、嵌合接続されて固定されるので、機器コネクタの外部導体と中継コネクタの外部導体とが常に接触すること、すなわち、確実なトップタッチを実現することができるので、ケーブル接続自体の高周波特性は常に安定したものとなり、測定対象物の高周波特性の測定等を正確に行うことができる。
【図面の簡単な説明】
【００１９】
【図１】一括嵌合アダプタ、ＶＮＡエクステンダ及び複数のケーブルの構成を示す図である。
【図２】一括嵌合アダプタの複数の中継コネクタに複数のケーブルを接続した状態を示す図である。
【図３】一括嵌合アダプタに設けられた中継コネクタ及びＶＮＡエクステンダ側のエクステンダコネクタの断面図である。
【図４】一括嵌合アダプタをＶＮＡエクステンダに接続した状態を示す図である。
【図５】図４で示した接続状態を上からみた図である。
【図６】ＶＮＡエクステンダに複数のケーブルを接続した従来例を示す図である。
【発明を実施するための形態】
【００２０】
以下に図面を参照して、複数のコネクタを備え、つなぎ替えの作業を必要とする電子機器の一例としてＶＮＡエクステンダを挙げて、本発明の一実施形態について説明する。なお、実施の形態を説明するための全ての図において、同一部材には原則として同一の符号を付し、その繰り返しの説明は省略する。
【００２１】
図６は、従来の周波数エクステンダの１つであるＶＮＡエクステンダの使用例を示す図である。ＶＮＡエクステンダ２００は、箱状の筐体の１つの側面にケーブル接続パネル２０２を構成し、ケーブル接続パネル２０２に設けられた複数のエクステンダコネクタ２０４のそれぞれに、複数のケーブル３００の同軸コネクタ３０１が接続されている。ケーブル３００の同軸コネクタ３０１を接続する際に、ネジ締結部３０２を締結トルク管理しながら締めることで、エクステンダコネクタ２０４との接続を維持固定し、確実なトップタッチを実現している。ケーブル接続パネル２０２には、電源コネクタ２０６と、複数の放熱板からなる放熱部２０８がさらに設けられている。
【００２２】
従来、電子機器等の測定対象物の電子部品や回路等に対して、広範囲の高周波特性を測定するために、ＶＮＡエクステンダを別のＶＮＡエクステンダに交換する作業を複数回行っている。ＶＮＡエクステンダを交換するたびに、複数のケーブル３００の同軸コネクタ３０１のネジ締結部３０２を回して着脱する作業を行う必要があった。そのような作業の煩わしさを解消するための一括嵌合アダプタを図１に示す。
【００２３】
図１は、本発明の一実施形態に係る一括嵌合アダプタ、ＶＮＡエクステンダ及び複数のケーブルの構成を示す。一括嵌合アダプタ１００は、板状のパネル１０２と、パネル１０２を貫通して設けられた複数の中継コネクタ１０４と、パネル１０２の中央に設けられた、ＶＮＡエクステンダ２００の電源コネクタ２０６及び電源コネクタ２０６に接続される電源ケーブルを通すための開口１０６とを含む。また、一括嵌合アダプタ１００は、パネル１０２の両端に設けられたロック機構である引込ロック１０８と、パネル１０２の下端に設けられた、ＶＮＡエクステンダ２００の放熱部２０８から発せられる熱又は熱風からケーブル３００を保護するための矩形板状の熱ガード１１０とを含む。さらに、一括嵌合アダプタ１００は、パネル１０２の上端に一括嵌合アダプタ１００を上下左右反対に接続することを防止するための形状を有する逆付け防止部１１２を含む。
【００２４】
複数の中継コネクタ１０４は、それぞれパネル１０２を貫通してＶＮＡエクステンダ２００の複数のエクステンダコネクタ２０４と接続可能な範囲で、わずかに移動できる状態（以下、「フローティング状態」という。）でパネル１０２に取り付けられる。コネクタの嵌合方向に弾性力を生じさせるために、中継コネクタ１０４とパネル１０２の間に弾性体としてスプリングワッシャ１０５（図３参照）を噛ませることもできる。複数の中継コネクタ１０４をフローティング状態で取り付けることで、高周波特性の測定に使用する複数のＶＮＡエクステンダにおいて生じ得るエクステンダコネクタの配置のズレ（誤差）を吸収し、エクステンダコネクタの配置のズレによって引き起こされ得るＶＮＡエクステンダと一括嵌合アダプタとの接続不良を解消することができる。また、中継コネクタ１０４は、その一端にケーブルコネクタ側接続部１１４と、その他端に後述するエクステンダコネクタ側接続部１１６（図３参照）とを備える。
【００２５】
引込ロック１０８、熱ガード１１０、逆付け防止部１１２は、図１に示す本発明に係る一括嵌合アダプタの一実施形態では、それぞれケーブル接続パネル２０２の左右両端、下端、上端に設けられているが、それらの機能を果たす場所であれば、どこに設けられても良く、それぞれ１つ以上設けることができる。
【００２６】
熱ガード１１０は、パネル１０２において、ＶＮＡエクステンダ２００の放熱部２０８に対向し、放熱部２０８からの熱又は熱風を防止できる位置に取り付けることができる。ケーブル３００を熱から保護するために、熱ガード１１０の取り付けの角度を適宜調節することができる。
【００２７】
ＶＮＡエクステンダ２００は、ケーブル接続パネル２０２、複数のエクステンダコネクタ２０４、電源コネクタ２０６及び放熱部２０８といった図６に示される従来例の構成に加えて、ケーブル接続パネル２０２の端部にサイドバー２１０と、サイドバー２１０上に係止部２１２をさらに含む。係止部２１２は、一括嵌合アダプタ１００の引込ロック１０８と対となるロック機構である。引込ロック１０８は、係止部２１２に引掛けるための引掛けリングと、引掛けた状態を固定するためのレバーからなる。ケーブル接続パネル２０２において設けられるサイドバー２１０及び係止部２１２の位置は、一括嵌合アダプタ１００における引込ロック１０８の位置に応じて変更することができる。
【００２８】
図１に示す本発明に係る一括嵌合アダプタの一実施形態では、ロック機構である引込ロック１０８と係止部２１２は、一括嵌合アダプタ１００とＶＮＡエクステンダ２００にそれぞれ設けられているが、それぞれ逆に取り付けて、一括嵌合アダプタ１００に係止部２１２、ＶＮＡエクステンダ２００に引込ロック１０８を設けても良い。
【００２９】
また、中継コネクタ１０４とパネル１０２の間に弾性体としてスプリングワッシャ１０５やゴム等を噛ませる構成に加えて、又はその構成に替えて、ロック機構である引込ロック１０８と係止部２１２とが互いに引き合う方向に弾性力を生じるように、引込ロック１０８及び係止部２１２の少なくともいずれか一方にコイルばねやゴム等の弾性体を設けることもできる（図５参照）。このようにロック機構に設けられた弾性体の弾性力によって、複数のエクステンダコネクタ２０４と一括嵌合アダプタ１００の複数の中継コネクタ１０４とが互いに常に押し合うように構成することができる。つまり、複数のエクステンダコネクタ２０４に、複数の中継コネクタ１０４がそれぞれ嵌合接続され、係止部２１２に引込ロック１０８の引掛けリングを掛けて、そのレバーを下げてロックした後でも、ロック機構の弾性体により、それぞれ嵌合接続されたエクステンダコネクタ２０４と中継コネクタ１０４との間には常に押し付け合う力が働き、トップタッチを確実に実現することができる。
【００３０】
さらに、一括嵌合アダプタ１００にコネクタの嵌合方向に弾性力を生じさせる弾性体を設ける別の実施形態として、中継コネクタ１０４自体の内部構造にコイルばねやゴム等の弾性体を設けて、中継コネクタ１０４の外部導体１２２（図３参照）を嵌合方向に弾性変位可能とし、嵌合時に中継コネクタ１０４の外部導体１２２をエクステンダコネクタ２０４の外部導体２１６に常に押し込む力が生じるように構成することもできる。
【００３１】
上述のとおり、弾性体は、一括嵌合アダプタ１００において、ロック機構（引込ロック１０８、係止部２１２）自体、中継コネクタ１０４自体、及び、中継コネクタ１０４とパネル１０２の間に設けることができるが、それらの弾性体が設けられ得る箇所のうち、少なくとも１つの箇所に設けられればよい。なお、エクステンダコネクタ２０４と中継コネクタ１０４との接続が安定的に維持固定できるのであれば、弾性体を設けなくてもよい。  
【００３２】
図２は、一括嵌合アダプタの複数の中継コネクタに複数のケーブルを接続した状態を示す。一括嵌合アダプタ１００の複数の中継コネクタ１０４のケーブルコネクタ側接続部１１４のそれぞれに、ケーブル３００の同軸コネクタ３０１が接続される。中継コネクタ１０４のケーブルコネクタ側接続部１１４は、円筒状の外壁にネジ山を有し、一方、ケーブル３００のネジ締結部３０２の円筒状の内壁もネジ山を有する。接続の際に、ケーブル３００のネジ締結部３０２を回し込むことで、中継コネクタ１０４のケーブルコネクタ側接続部１１４とケーブル３００の同軸コネクタ３０１との接続を維持固定することができる。ネジ締結することにより、ケーブル３００の接続自体の高周波特性は安定的なものとな  
【００３３】
図２に示すように、複数のケーブル３００は一括嵌合アダプタ１００に接続された状態で、ＶＮＡエクステンダ２００に接続されることになるため、高周波特性の測定の際に、ＶＮＡエクステンダ２００の交換に伴う複数ケーブル３００のつなぎ替えの作業は発生しない。
【００３４】
図３は、中継コネクタを水平方向に切断した断面図を示す。図３（ａ）は、中継コネクタ１０４がエクステンダコネクタ２０４に接続される前の状態を示す。中継コネクタ１０４のケーブルコネクタ側接続部１１４は、ケーブル３００の同軸コネクタ３０１が嵌合接続され、ネジ締結部３０２により同軸コネクタ３０１との接続が維持固定される。中継コネクタ１０４は、パネル１０２と間に僅かな隙間を設けることにより、フローティング状態でパネル１０２を貫通し、コネクタの嵌合方向に弾性力を生じさせる弾性体としてスプリングワッシャ１０５を噛ませて取り付けられる。中継コネクタ１０４は、ケーブル３００の同軸コネクタ３０１を接続するためのケーブルコネクタ側接続部１１４と、ＶＮＡエクステンダのエクステンダコネクタ２０４を接続するためのエクステンダコネクタ側接続部１１６を備える。
【００３５】
エクステンダコネクタ側接続部１１６は、中空筒形の形状であり、その内側の先端部分にテーパー部１１８を有する。テーパー部１１８によって、一括嵌合アダプタ１００をＶＮＡエクステンダ２００に嵌合接続する際に、エクステンダコネクタ２０４をエクステンダコネクタ側接続部１１６の内部に容易に誘導することができる。エクステンダコネクタ側接続部１１６の内壁にはネジ山が設けられていないため、エクステンダコネクタ２０４は、エクステンダコネクタ側接続部１１６の内部に押し込むことで嵌合接続される。つまり、プッシュオン方式で接続することができる。
【００３６】
中継コネクタ１０４は、その内側に中心導体１２０、外部導体１２２及び誘電体１２４を含む。一方、ＶＮＡエクステンダ２００のケーブル接続パネル２０２に設けられたエクステンダコネクタ２０４は、中心導体２１４、外部導体２１６及び誘電体２１８を含む。
【００３７】
図３（ｂ）は、中継コネクタ１０４がエクステンダコネクタ２０４に接続された状態を示す。接続時には、中継コネクタ１０４の内側にある外部導体１２２とエクステンダコネクタ２０４の外部導体２１６とが互いに接触する。引込ロック１０８と係止部２１２を含むロック機構で、一括嵌合アダプタ１００とＶＮＡエクステンダ２００との接続を固定することで、中継コネクタ１０４とエクステンダコネクタ２０４との間には常にテンション（押し合う力）が加わり、コネクタの外部導体の内側部分の先端同士が接触した状態（トップタッチした状態）を維持することができる。
【００３８】
中継コネクタ１０４とパネル１０２の間にスプリングワッシャ１０５を噛ませた実施形態では、ロック機構で一括嵌合アダプタ１００とＶＮＡエクステンダ２００との接続を固定することで、スプリングワッシャ１０５が平坦な輪状に変形する。変形したスプリングワッシャ１０５は、弾性により元の形状に戻ろうとする力が働くので、その力によりエクステンダコネクタ側接続部１１６をエクステンダコネクタ２０４に押し付けて、トップタッチした状態を維持することができる。
【００３９】
また、別の実施形態として、中継コネクタ１０４の外部導体１２２を嵌合方向に弾性変位可能に構成することもできる。例えば、外部導体１２２と、誘電体１２４及び外部導体１１６の少なくとも一方との接触面であって、嵌合方向に対して垂直方向に広がる接触面に、コイルばねやゴム等の弾性体を設けて、コネクタ接続時に中継コネクタ１０４の外部導体１２２をエクステンダコネクタ２０４の外部導体２１６に常に押し込む力が生じるように構成することもできる。なお、ロック機構である引込ロック１０８及び係止部２１２の少なくともいずれか一方に弾性体を設けた上述した実施形態においても、上記と同様に、トップタッチした状態を維持することができる。
【００４０】
図４は、複数のケーブルを接続した一括嵌合アダプタをＶＮＡエクステンダに一括嵌合により接続した状態を示す。一括嵌合アダプタ１００の引込ロック１０８の引掛けリングを、ＶＮＡエクステンダ２００のサイドバー２１０に設けられた係止部２１２に掛けて引込ロック１０８のレバーを倒すことで、一括嵌合アダプタ１００とＶＮＡエクステンダ２００とが押し合いコネクタ同士の接続を維持固定することができる。
【００４１】
ここで、ＶＮＡエクステンダ２００の逆付け防止部１１２は、一括嵌合アダプタを上下左右反対に接続しようとした場合に、逆付け防止部１１２がケーブル接続パネル２０２や放熱部２０８などに当たり、接続を阻害することができる。逆付け防止部１１２の形状は、一括嵌合アダプタ１００をＶＮＡエクステンダ２００に誤って接続することを防止できるように機能するのであれば、どのような形状でも良い。
【００４２】
一括嵌合アダプタ１００をＶＮＡエクステンダ２００に接続して、高周波特性の測定を行う際に、ケーブル３００が熱せられると、正確な特性を測定することができなくなり得るので、熱ガード１１０は、一括嵌合アダプタ１００に接続されて下方に垂れ下がった複数のケーブル３００を、放熱部２０８から発せられる熱又は熱風から守るために、ケーブル接続パネル２０２において熱の伝わりを遮断する位置（図４に示す実施形態ではケーブル接続パネル２０２の下端）に設けられる。熱ガード１１０は、ケーブル３００への熱の伝わりを遮断できる形状であれば、どのような形状でも良い。
【００４３】
図５は、図４で示した接続状態を上からみた図である。一括嵌合アダプタ１００は、ＶＮＡエクステンダ２００に、ネジ締結ではなく単に中継コネクタ１０４のエクステンダコネクタ側接続部１１６を、エクステンダコネクタ２０４に押し込むこと（プッシュオン方式）により、複数のケーブル３００を一括で嵌合接続することができる。ネジ締結ではなくプッシュオン方式での接続を行うので、高周波特性の測定の際に、ＶＮＡエクステンダ２００の交換に伴うつなぎ替え作業を大幅に軽減することができる。
【００４４】
さらに、ネジ締結ではなくプッシュオン方式を採用したことによる接続の不安定性を解消し、接続を確実に維持固定するために、引込ロック１０８と係止部２１２を含むロック機構により、一括嵌合アダプタ１００とＶＮＡエクステンダ２００との接続を維持固定することで、中継コネクタ１０４のエクステンダコネクタ側接続部１１６とエクステンダコネクタ２０４の外部導体が互いに押し合うトップタッチ状態で嵌合接続される。中継コネクタ１０４とパネル１０２の間にスプリングワッシャ１０５が設けられていた場合、コネクタ接続時には、図５に示すように平坦な形状に変形される。
【００４５】
図５には、ロック機構である引込ロック１０８の動作を示しており、一括嵌合アダプタ１００に回動可能に連結するレバー、該レバーに回動且つスライド可能に連結し、係止部２１２と係止・離脱する引掛けリング、前記レバーに対して引掛けリングの付勢力を加える弾性体として設けられたコイルばね１０９が破線で示される。左側の引込ロック１０８は、係止部２１２に引掛けリングを掛ける前の状態である。右側の引込ロック１０８は、係止部２１２に引掛けリングを掛けて引込ロック１０８のレバーを倒した状態、つまり、ロックした状態である。ロックした状態では、コイルばね１０９は、圧縮された状態となり、その状態から元の状態に戻ろうとする力で引掛けリングの回動軸位置を大きくする方向で弾性力を発揮し、係止部２１２と引込ロック１０８とが係止した状態で互いに引き合う弾性力を発生させ、結果、一括嵌合アダプタ１００とＶＮＡエクステンダ２００とが押し合いコネクタ同士の接続を維持固定することができる。これにより、一括嵌合アダプタ１００とＶＮＡエクステンダ２００との間の接続自体の高周波特性は安定したものとなる。
【産業上の利用可能性】
【００４６】
本発明に係る一括嵌合アダプタは、複数のコネクタを有する電子機器に利用することができる。例えば、複数のコネクタを有するＶＮＡエクステンダを利用して測定対象物における電子部品や電子回路等の高周波特性を測定する分野において利用することができる。
【符号の説明】
【００４７】
１００  一括嵌合アダプタ
１０２  パネル
１０４  中継コネクタ
１０５  スプリングワッシャ
１０６  開口
１０８  引込ロック
１０９  コイルばね
１１０  熱ガード
１１２  逆付け防止部
１１４  ケーブルコネクタ側接続部
１１６  エクステンダコネクタ側接続部
１１８  テーパー部
１２０  中心導体
１２２  外部導体
１２４  誘電体
２００  ＶＮＡエクステンダ
２０２  ケーブル接続パネル
２０４  エクステンダコネクタ
２０６  電源コネクタ
２０８  放熱部
２１０  サイドバー
２１２  係止部
２１４  中心導体
２１６  外部導体
２１８  誘電体
３００  ケーブル
３０１  同軸コネクタ
３０２  ネジ締結部
【図１】
0006299003.tif 000002
【図２】
0006299003.tif 000003
【図３】
0006299003.tif 000004
【図４】
0006299003.tif 000005
【図５】
0006299003.tif 000006
【図６】
0006299003.tif 000007